(57)【要約】【課題】ケーシング１と、上方に配置され被破砕物を投入するホッパ２と、ホッパー２の下方にケーシング１に軸支され被破砕物を破砕する回転刃７，８と、回転刃７，８の回転軌跡に沿った下方位置に円弧状に形成され破砕された破砕物を潜らす格子を有するスクリーン１３とを備えた破砕機であって、スクリーン１３の交換を容易にする。【解決手段】前記スクリーン１３の一端部をケーシング１に着脱自在に枢支させスクリーン１３を揺動させる枢支部１４と、前記スクリーン１３の他端部をケーシング１に着脱自在に連結させる連結手段１５とを備え、スクリーン１３を、前記枢支部１４を支点に揺動させ回転刃７，８の回転軌跡に沿った位置で前記連結手段１５によりケーシング１に連結した使用状態と、連結を解除して枢支部１４を支点に揺動させて回転刃の回転軌跡に沿った位置から離脱させて取外した状態とに、位置変更可能に構成した。【選択図】            図１
2004167301.tif 000002
【特許請求の範囲】
【請求項１】
ケーシングと、上方に配置され被破砕物を投入するホッパーと、ホッパーの下方にケーシングに軸支され被破砕物を破砕する回転刃と、回転刃の回転軌跡に沿った下方位置に円弧状に形成され破砕された破砕物を潜らす格子を有するスクリーンとを備えた破砕機であって、
前記スクリーンの一端部をケーシングに着脱自在に枢支させスクリーンを揺動させる枢支部と、前記スクリーンの他端部をケーシングに着脱自在に連結させる連結手段とを備え、スクリーンを、前記枢支部を支点に揺動させ回転刃の回転軌跡に沿った位置で前記連結手段によりケーシングに連結した使用状態と、連結を解除して枢支部を支点に揺動させて回転刃の回転軌跡に沿った位置から離脱させて取外した状態とに、位置変更可能に構成したことを特徴とする破砕機。
【請求項２】
前記枢支部は、ケーシング適所に設けた係合ピンと、スクリーンの一端部に設けられ前記係合ピンを開口口から嵌脱させる枢支孔で構成していることを特徴とする請求項１記載の破砕機。
【請求項３】
前記連結手段は、スクリーンの他端部を把持する把持部と、スクリーンの他端部を把持部で把持した状態でケーシングに仮連結させる仮連結部と、仮連結を固定連結させる固定部とで構成していることを特徴とする請求項１または請求項２記載の破砕機。
【請求項４】
使用状態におけるスクリーンの下部に取外したスクリーンを支持するガイドレールを配置し、前記連結手段による連結を解除して枢支部を支点に揺動させて回転刃の回転軌跡に沿った位置から下方に離脱させ一旦スクリーンをガイドレールに支持させるとともに、枢支部の枢支を解除した後にスクリーンをガイドレールに沿って引出し可能に構成したことを特徴とする請求項１乃至請求項３記載の破砕機。
【請求項５】
前記ガイドレールは、ケーシングに着脱自在に配置し、スクリーンの脱着時のみ装着するように構成したことを特徴とする請求項４記載の破砕機。
【発明の詳細な説明】
【０００１】
【発明の属する技術分野】
本発明は、産業廃棄物等の被破壊物を破壊する破砕機に関するものである。
【０００２】
【従来の技術】
この種の破砕機は、ケーシングと、上方に配置され被破砕物を投入するホッパーと、ホッパーの下方にケーシングに軸支され被破砕物を破砕する回転刃と、回転刃の回転軌跡に沿った下方位置に円弧状に形成され破砕された破砕物を潜らす格子を有するスクリーンとを備えている。
【０００３】
ところで、前記スクリーンの格子は、破砕された破砕物が目的の大きさに破砕されるよう篩目の大きさを決定してある。したがって、破砕された破砕物の目的の大きさが異なる時には、目的の大きさに合った篩目の格子にしたスクリーンに取替える必要があった。また、長期使用によりスクリーンは摩耗することから、消耗品として定期的に交換する必要があった。（例えば特許文献１参照）
【０００４】
【特許文献１】
特開平８−１３１８６３号公報（図２、図７）
【０００５】
【発明が解決しょうとする課題】
ところが、スクリーンはケーシングに複数のボルトで取付られておりボルトの脱着作業だけでも面倒な作業であった。また、ケーシング内の狭い中でスクリーンを所定位置に位置させてのボルトによる取付作業をしなければならない場合は、スクリーンの交換作業は容易でなく面倒な作業となっていた。
【０００６】
本発明は、スクリーンの交換を容易にできる破砕機を提供することを目的とする。
【０００７】
【課題を解決するための手段】
上記の目的を達成するため、本発明の請求項１記載の破砕機は、ケーシングと、上方に配置され被破砕物を投入するホッパーと、ホッパーの下方にケーシングに軸支され被破砕物を破砕する回転刃と、回転刃の回転軌跡に沿った下方位置に円弧状に形成され破砕された破砕物を潜らす格子を有するスクリーンとを備えた破砕機であって、前記スクリーンの一端部をケーシングに着脱自在に枢支させスクリーンを揺動させる枢支部と、前記スクリーンの他端部をケーシングに着脱自在に連結させる連結手段とを備え、スクリーンを、前記枢支部を支点に揺動させ回転刃の回転軌跡に沿った位置で前記連結手段によりケーシングに連結した使用状態と、連結を解除して枢支部を支点に揺動させて回転刃の回転軌跡に沿った位置から離脱させて取外した状態とに、位置変更可能に構成したことを特徴とするものである。
【０００８】
請求項２記載の破砕機は、請求項１において、前記枢支部は、ケーシング適所に設けた係合ピンと、スクリーンの一端部に設けられ前記係合ピンを開口口から嵌脱させる枢支孔で構成していることを特徴とするものである。
【０００９】
請求項３記載の破砕機は、請求項１または請求項２において、前記連結手段は、スクリーンの他端部を把持する把持部と、スクリーンの他端部を把持部で把持した状態でケーシングに仮連結させる仮連結部と、仮連結を固定連結させる固定部とで構成していることを特徴とするものである。
【００１０】
請求項４記載の破砕機は、請求項１乃至請求項４において、使用状態のスクリーンの下部に取外したスクリーンを支持するガイドレールを配置し、前記連結手段による連結を解除して枢支部を支点に揺動させて回転刃の回転軌跡に沿った位置から下方に離脱させ一旦スクリーンをガイドレールに支持させるとともに、枢支部の枢支を解除した後にスクリーンをガイドレールに沿って引出し可能に構成したことを特徴とするものである。
【００１１】
請求項５記載の破砕機は、請求項４において、前記ガイドレールは、ケーシングに着脱自在に配置し、スクリーンの脱着時のみ装着するように構成したことを特徴とするものである。
【００１２】
【発明の実施の形態】
以下本発明に係る破砕機Ａの実施形態について、図１〜図４に図示し以下に説明する。Ａは、破砕機であって次のようになっている。１は、ケーシングである。２は、ケーシング１の上方に取付け配置し、被破砕物を投入するホッパーである。３，４は平行して互いに逆方向に内回りに回転（正転）するようにケーシング１に取付けた第１回転軸，第２回転軸である。５は第１回転軸３に取付けた第１回転ドラムであり、６は、第２回転軸４に取付けた第２回転ドラムである。
【００１３】
７は、第１回転ドラム５および第２回転ドラム６に取付けた第１回転刃であって、両端を先鋭させて楔状にし、各回転ドラム５，６に複数螺旋状に着脱自在に取付ている。よって、各各回転ドラム５，６を回転した時に、各楔形状の先鋭部分は半径Ｒ１の回転軌跡を描いて回転する。
【００１４】
８は、第１回転ドラム５および第２回転ドラム６に取付けた第２回転刃であって、両端を先鋭させて楔状にし、各回転ドラム５，６に複数螺旋状に着脱自在に取付ている。この第２回転刃８は、第１回転刃７に比較して両端を先鋭させた楔状の部分の高さを低くしている点が相違している。すなわち、図１に図示するように、各回転ドラム５，６を回転した時に、各楔形状の先鋭部分は半径Ｒ２の回転軌跡を描いて回転する。よって、両回転半径Ｒ１とＲ２は、Ｒ１＞Ｒ２の関係にある。
【００１５】
次に、第１回転ドラム５と第２回転ドラム６との離間距離Ｌ（第１回転軸３と第２回転軸４との離間距離）は、第１回転ドラム５および第２回転ドラム６に取付けた前記回転刃の最大回転半径（上記では第１回転刃７の回転半径Ｒ１が該当する。）の和（Ｒ１＋Ｒ１）以上の離間距離Ｌ（Ｒ１＋Ｒ１＜Ｌ）に設定してある。よって第１回転軸３と第２回転軸４との離間距離Ｌによって、第１回転ドラム５上に配置した第１回転刃７および第２回転刃８と、第２回転ドラム６上に配置した第１回転刃７および第２回転刃８の回転によって届かない隙間が第１回転軸３と第２回転軸４間に生じる。
【００１６】
９は、この隙間を埋めるように基台１０上に取付て配置した固定刃で、第１回転軸３と第２回転軸４間の中央部の下寄り位置に配置してある。この固定刃９は、図１に図示するように、第１回転刃７が第２回転刃８より高さが高い分だけ干渉しないように逃がし９ａを設けている。
【００１７】
１１は、第１回転ドラム５上に配置した第１回転刃７および第２回転刃８に応じた形状（この場合は凹凸状の形状となっている。）の第２固定刃であって、ホッパー２に取付ている。１２は、第２回転ドラム６上に配置した第１回転刃７および第２回転刃８に応じた形状（この場合は凹凸状の形状となっている。）の第２固定刃であって、ホッパー２に取付けている。
【００１８】
上記第１回転軸３と第２回転軸４は、互いに逆方向に内回（正転）りに回転駆動して被破砕物を破砕するものであるが、異物等が挟まった場合は除去するために、互いに逆方向に外回（逆転）りに回転駆動させることができるようになっている。
【００１９】
１３は、前記回転刃７，８の回転軌跡に沿った下方位置に円弧状に形成され破砕された破砕物を篩目から潜らす格子１３ａと、格子２３ａを支持する支持板１３ｂで構成したスクリーンである。１４は、支持板１３ｂの一端部に設けた枢支部で、ケーシング１に固定された基台１０に連結したブラケツト１０ａに前記回転軸３，４と平行に止着した係合ピン１４ａと、スクリーン１３の一端部に設けられ係合ピン１４ａを開口口から嵌脱させる枢支孔１４ｂで構成している。係合ピン１４ａは、図３に図示するように断面形状が半円形の形状にしてあり、枢支孔１４ｂ内に係合ピン１４ａを開口口から嵌脱し易いようにしてある。
【００２０】
１５は、支持板１３ｂの他端部に設けた連結手段で、把持部１６と、仮連結部１７と、固定部１８とで構成している。把持部１６は、支持板１３ｂの他端に設けたフランジ１６ａと、ケーシング１に揺動自在に枢支させたＬ字状の金具１６ｂで構成している。そして、フランジ１６ａをケーシング１に取付けたストツパー１ａに密着させて、揺動自在なスクリーン１３を使用状態の位置に位置させるよう、Ｌ字状の金具１６ｂでフランジ１６ａを係止させるようにしている。
【００２１】
仮連結部１７は、ストツパー１ａに密着させたフランジ１６ａとＬ字状の金具１６ｂが離脱しないで密着状態を維持させるためのものであって、本実施形態ではＬ字状の金具１６ｂに止着したレバーで構成している。すなわち、密着させたフランジ１６ａとＬ字状の金具１６ｂが離脱しないようレバー１７で密着状態を維持させるようにしたものである。ここでは、仮連結部１７としてレバーを配置したが、Ｌ字状の金具１６ｂでフランジ１６ａを係止させた状態で、Ｌ字状の金具１６ｂの揺動を規制させるようにして、密着させたフランジ１６ａとＬ字状の金具１６ｂが離脱しないようにしたものであればよい。例えば、Ｌ字状の金具１６ｂの枢支部を蝶ナットで締付けてＬ字状の金具１６ｂの揺動を規制させるようにしたものであってもよい。（以下仮連結手段１７はレバー１７として説明する。）
固定部１８は、密着させたフランジ１６ａとＬ字状の金具１６ｂが離脱しないようレバー１７で密着状態を維持させた仮連結状態から、固定連結状態にするためのものである。本実施形態ではこの固定部１８は、Ｌ字状の金具１６ｂの背面部に近接してケーシング１に揺動自在に吊下したロックボルト１８ａとロックボルト１８ａのネジに螺合したロックナット１８ｂで構成している。すなわち、密着させたフランジ１６ａとＬ字状の金具１６ｂが離脱しないようレバー１７で密着状態を維持させた仮連結の状態で、ロックボルト１８ａを揺動させ、Ｌ字状の金具１６ｂの係止部の背後からＬ字状の金具１６ｂを押付けるようロックボルト１８ａからロックナット１８ｂを螺合回転させ、仮連結状態から、固定連結状態にするようにしたものである。
【００２２】
１９は、前記ブラケット１０ａに止着した規制ピンであって、前記スクリーン１３を使用状態に位置させた時に、前記支持板１３ｂの一端部に係合してスクリーン１３の上方への移動規制するために配置したものである。すなわち、前記スクリーン１３を使用状態に位置させた時には、前記枢支孔１４ｂの開口口が下方に向いた状態であるので、枢支部１４で下方への移動規制はできるものの上方への移動規制ができない状態にある。そこで上方への移動規制をするために、規制ピン１９を配置したものである。
【００２３】
なお、破砕物は下方に押付けられるようにしてスクリーン１３の篩目を潜り抜けるものであるから、通常スクリーン１３の上方への移動作用は生じないので、必ずしも規制ピン１９と支持板１３ｂの一端部による上方への移動規制を設けておかなくてもよい。そして、スクリーン１３を揺動させるときに、規制ピン１９と支持板１３ｂの一端部が干渉して揺動の障害とならないように、規制ピン１９の位置と支持板１３ｂの一端部の形状を決定している。
【００２４】
２０は、スクリーン１３の下方に前記回転軸３，４の直交方向に水平にケーシング１（フレーム１ｄと基台１０間）に配置したガイドレールである。２１は、スクリーン１３を連結手段１５による連結を解除して、枢支部１４を支点に下方に揺動させた時に、スクリーン１３の下方に配置したガイドレール２０に当接させるようにしたストッパーピンである。
【００２５】
なお、支持板１３ｂは格子１３ａに対して少なくとも複数個所支持させるようにしており、ガイドレール２０も支持板１３ｂに対応して複数個所配置してある。（図５参照）そして、下方に揺動させたスクリーン１３は、図３に図示するように枢支部１４の枢支孔１４ｂの開口口から係合ピン１４ａを抜くと、スクリーン１３はストッパーピン２１と格子１３ａがガイドレール２０に当接して支持されるようになる。
【００２６】
１ｂは、ケーシング１の側板であって、蝶番１ｃで回動支持させケーシング１の側面を開口させ、この開口口からガイドレール２０の上に支持させたスクリーン１３を、ガイドレール２０上を滑らせて引抜きあるいはガイドレール２０上に載置するようにしたものである。
【００２７】
なお、スクリーン１３、枢支部１４、連結手段１５、は、図１〜図４に図示するように、左右一対対象的に配置している。また、ガイドレール２０および側板１ｂについても左右一対対象的に配置している。
【００２８】
このように構成した本発明に係る破砕機の作用について以下に説明する。なお、破砕機Ａで被破砕物を破砕することは勿論であるが、ここでは、破砕機Ａに備えたスクリーン１３の脱着を容易にすることが目的であるので、破砕についての詳細な説明は省略しスクリーン１３の脱着についての作用を主に以下に説明する。したがって、図１に図示するように、スクリーン１３の使用状態での説明から、図４に図示するようにスクリーン１３を取外した状態にするまでの作用について説明する。
【００２９】
まず、図１に図示する破砕機Ａの使用時について説明する。スクリーン１３の一端部は、枢支部１４の枢支孔１４ｂと係合ピン１４ａで支持されて下方への移動規制が行われ、規制ピン１９と支持板１３ｂの一端部により上方への移動規制が行われる。（破砕物は下方に押付けられるようにしてスクリーンの篩目を潜り抜けるものであるから、通常上方に移動するようなことはない。）スクリーン１３の他端部は、上記連結手段１５で強固に連結される。よってスクリーン１３は、両端部を枢支部１４と連結手段１５で強固に支持されるようにしてあるものだから、スクリーン１３が脱落したり、壊れたりすることはない。よってホッパー２に投入された被破砕物は、第１回転軸３と第２回転軸４の回転駆動により、第１回転刃７と第２回転刃８によって破砕され、スクリーン１３を潜り抜けて下方に破砕された破砕物が堆積される。
【００３０】
次に、スクリーン１３を外す場合について以下に説明する。蝶番１ｃで回動自在に支持させたケーシング１の側板１ｂを回動させて開口させる。そして図１に図示する状態で、レバー１７を下方に引き、連結手段１５による連結を解除しても、フランジ１６ｂとストッパー１ａの密着状態を維持させるようにしておく。この状態でロックナット１８ｂを螺合させて連結手段１５による連結を解除する。スクリーン１３が下方に揺動しないように、スクリーン１３の他端部を手で支持しておき、レバー１７を上方に揺動させて、Ｌ字状の金具１６ｂとフランジ１６ｂの係止を解く。そしてしスクリーン１３を枢支部１４を支点に下方に揺動させて、図２に図示するように、ストッパーピン２１をガイドレール２０に当接させる。
【００３１】
次に、図３に図示するように、ストッパーピン２１を中心にスクリーン１３の他端部を下方に押し少し回転させると、枢支孔１４ｂの開口口から係合ピン１４ａを引抜くことができる。そしてスクリーン１３は、ストッパーピン２１と格子１３ａでガイドレール２０上に支持される。この状態でスクリーン１３を引くことでガイドレール２０上を水平に滑らせて移動させ、側板１ｂを開口させた開口口からスクリーン１３を取出すことができる。
【００３２】
逆に、スクリーン１３を取付ける場合は上記と逆にすればよいので、取付ける場合の説明は省略する。
【００３３】
このように、スクリーン１３は複数のボルトで取付けていないので、簡単に脱着できる。また、ケーシング１内の狭い中でスクリーン１３を所定位置に位置させてボルトによる取付け作業をするといったこともなく、スクリーンの交換作業は容易に行うことができる。したがって、目的の大きさに合った篩目の格子を有するスクリーン１３を複数用意しておけば、目的の破砕物の大きさによってスクリーン１３を交換し、１台の破砕機で複数の大きさの破砕物を得るようにすることが簡単にできる。勿論、摩耗したスクリーン１３の交換も簡単に交換することができる。
【００３４】
なお、上記実施形態では、二つの回転軸を備えた破砕機で説明したが、一軸による破砕機であっても同様に実施できること勿論である。
【００３５】
また、第１回転刃７および第２回転刃８は、それぞれ第１回転ドラム５、第２回転ドラム６を介して第１回転軸３、第２回転軸４に支持させているが、回転刃を直接回転軸に支持させるようにした構造のものであってもよい。
【００３６】
次に、上記実施形態では、ガイドレール２０を  ケーシング１（フレーム１ｄと基台１０間）に固定的に配置した場合を例に説明したが、図６に図示するようにガイドレール２０を脱着式にしたものであってもよい。この場合、スクリーン１３を脱着させる時のみガイドレール２０を装着するようにするもので、このようにすることで破砕する時にはガイドレール２０を外しているものであるから、ガイドレール２０を固定的に配置した場合に破砕物がガイドレール２０に堆積していた問題をなくすることができる。
【００３７】
すなわち、図６に図示するように、脱着式にしたガイドレール２０は、次のようにして基台１０とフレーム１ｄ間に脱着自在に配置している。ガイドレール２０の一端に設けた装着ピン２１ａと、装着ピン２１ａを挿入する挿入孔１０ｂを基台１０配置し、挿入孔１０ｂに装着ピン２１ａを挿入した状態で、ガイドレール２０の他端をフレーム１ｄ上に位置させ、ガイドレール２０の他端とフレーム１ｄをボルト２２で連結させるようにしている。
【００３８】
このようにボルト２２を外して挿入孔１０ｂから装着ピン２１ａを抜くことでガイドレール２０を外すことができ、逆にすることでガイドレール２０を装着することができる。なお、脱着式にしたガイドレール２０は、脱着するスクリーン１３の下方にのみ配置しておけばよいので、１個だけ備えておき脱着するスクリーン１３の下方に交替的に装着するようにすればよい。
【００３９】
【発明の効果】
請求項１に係る本発明の破砕機は、以上のように構成し作用するものであるから、スクリーンを簡単に脱着でき、スクリーンの交換作業を容易にすることができる。
【００４０】
請求項２に係る本発明の破砕機は、揺動式のスクリーンの枢支部を係合ピンと開口口から係合ピンを嵌脱させる枢支孔で構成したものであるから、枢支部を容易に脱着させることができる。
【００４１】
請求項３に係る本発明の破砕機は、揺動式のスクリーンの他端部の連結手段を、把持部と、仮連結部と、固定部とで構成して、仮連結した後固定連結させるようにしたものであるから、揺動式のスクリーンの連結部の連結解除を容易にすることができる。
【００４２】
請求項４に係る本発明の破砕機は、スクリーンを脱着させる時に、スクリーンをガイドレールで支持させるようにしたものであるから、スクリーンを保持させることなく破砕機から取外すことができる。
【００４３】
請求項５に係る本発明の破砕機は、ガイドレールをスクリーンの脱着時のみ装着するようにしたものであるから、破砕時に破砕物がガイドレールに堆積することをなくすることができる。
【図面の簡単な説明】
【図１】本発明に係る破砕機を説明する説明図で、スクリーンを取付けた使用状態を図示した説明図である。
【図２】本発明に係る破砕機を説明する説明図で、スクリーンの他端部の連結手段を解除して、スクリーンを下方に揺動させた状態を図示する説明図である。
【図３】本発明に係る破砕機を説明する説明図で、枢支部の枢支孔から係合ピンを抜いた状態を図示する説明図である。
【図４】本発明に係る破砕機を説明する説明図で、スクリーンをレール上に滑らして引き出す状態を図示する説明図である。
【図５】本発明に係る破砕機を説明する説明図で、図１の側面図である。
【図６】本発明に係る破砕機を説明する説明図で、スクリーンを脱着式にした場合を説明する説明図である。
【符号の説明】
１    ケーシング
２    ホッパー
７    第１回転刃（回転刃）
８    第２回転刃（回転刃）
１３スクリーン
１３ａ    格子
１４    枢支部
１５    連結手段
１４ａ    係合ピン
１４ｂ    枢支孔
１６    把持部
１７    仮連結部
１８    固定部
２０    ガイドレール
【図１】
2004167301.tif 000003
【図２】
2004167301.tif 000004
【図３】
2004167301.tif 000005
【図４】
2004167301.tif 000006
【図５】
2004167301.tif 000007
【図６】
2004167301.tif 000008